(57)【要約】【課題】サムネイル画像を用いることなく、画像認識性が早く使用者の不快感を低減可能な画像表示装置を提供することを目的とする。【解決手段】圧縮画像データを復元して主画像として表示する際に、仮画像を一旦表示した後、前記主画像を表示する画像表示装置であって、前記圧縮画像データの少なくとも特徴的な部分を復元して前記主画像と同サイズの仮画像の復元画像データを生成すると共に、前記圧縮画像データの全体を復元して前記主画像の復元画像データを生成する復元画像データ生成手段と、前記仮画像及び前記主画像を表示する表示手段とを備えたことを特徴とする。【選択図】図９
2006345024.tif 000002
【特許請求の範囲】
【請求項１】
圧縮画像データを復元して主画像として表示する際に、仮画像を一旦表示した後、前記主画像を表示する画像表示装置であって、
前記圧縮画像データの少なくとも特徴的な部分を復元して前記主画像と同サイズの仮画像の復元画像データを生成すると共に、前記圧縮画像データの全体を復元して前記主画像の復元画像データを生成する復元画像データ生成手段と、
前記仮画像及び前記主画像を表示する表示手段と
を備えたことを特徴とする画像表示装置。
【請求項２】
前記表示手段は、前記仮画像と前記主画像とを同一位置に表示することを特徴とする請求項１に記載の画像表示装置。
【請求項３】
前記圧縮画像データは、マトリクス状に分割したブロック毎に圧縮されたブロック圧縮データであり、
前記復元画像データ生成手段は、前記ブロック圧縮データの少なくとも特徴的な部分を復元して算出した画素値を該ブロック内全体にコピーして前記仮画像の復元画像データを生成することを特徴とする請求項１又は２記載の画像表示装置。
【請求項４】
前記圧縮画像データは、マトリクス状に分割したブロック毎の画素値の周波数成分が圧縮されたデータであり、
前記復元画像データ生成手段は、前記特徴的な部分として直流成分を復元して仮画像の表示データを生成することを特徴とする請求項１又は２記載の画像表示装置。
【請求項５】
前記圧縮画像データは、マトリクス状に分割したブロック毎の画素値の周波数成分が圧縮されたデータであり、
前記復元画像データ生成手段は、前記特徴的な部分として直流成分を復元して算出した画素値を該ブロック内全体にコピーして前記仮画像の復元画像データを生成することを特徴とする請求項１又は２記載の画像表示装置。
【請求項６】
前記圧縮画像データは、マトリクス状に分割したブロック毎の特徴的な部分とその他の部分とを備えた復元前データが特徴的な部分とその他の部分との区別なく符号化された符号データであり、
前記復元画像データ生成手段は、前記符号データを、特徴的な部分とその他の部分とに対応した復元前データに復号化すると共に該復元前データを保持しておき、該保持された復元前データの少なくとも特徴的な部分を復元して仮画像の復元画像データを生成して、さらに、該保持された復元前データの全体を復元して前記主画像の復元画像データを生成することを特徴とする請求項１から５のいずれか１項に記載の画像表示装置。
【請求項７】
前記圧縮画像データは、デジタルカメラで生成された圧縮画像データであることを特徴とする請求項１から６のいずれか１項に記載の画像表示装置。
【発明の詳細な説明】
【技術分野】
【０００１】
本発明は、デジタルカメラなどで撮影した画像を表示する画像表示装置に関するものである。
【背景技術】
【０００２】
近年、デジタルカメラの普及が進んでいる。それに伴い、画像の表示装置もパーソナルコンピュータにとどまらず、テレビやプリンタなどにも表示機能を備えたものが増えてきている。また、デジタルカメラの画質を決定する撮像画素数は益々増加しているが、それに伴って画像の表示には時間がかかるようになり、操作性という面では不満を感じることも起きてきた。
【０００３】
デジタルカメラで撮影した画像データは、デジタルカメラファイルシステム規格であるＤＣＦ（Ｄｅｓｉｇｎ  ｒｕｌｅ  ｆｏｒ  Ｃａｍｅｒａ  Ｆｉｌｅ  ｓｙｓｔｅｍ）規格に準拠したデジタルカメラの画像ファイル規格に基づいて作成されている。
【０００４】
このデジタルカメラの画像ファイルは、一般的にはベースラインＪＰＥＧ（Ｊｏｉｎｔ
Ｐｈｏｔｏｇｒａｐｈｉｃ  Ｅｘｐｅｒｔｓ  Ｇｒｏｕｐ）圧縮方式で主画像が圧縮され、主画像の他に主画像よりも画素数が少ないサムネイル画像を含んでいることが多い。そこで、従来の表示装置では、画像の表示の際に、まずはサムネイル画像を主画像の表示サイズに拡大して表示し、その後主画像でサムネイル画像の表示を置き換えることが提案されている（例えば、特許文献１参照）。このようにすることで、サムネイル画像により画像の認知が早く行なえるとともに、その後、鑑賞に適した主画像に表示が変わるので使用者の不満を低減することが可能である。
【０００５】
しかしながら、デジタルカメラのカメラファイルシステム規格であるＤＣＦ規格ではサムネイル画像のサイズは１６０×１２０画素と規定されているが、主画像のアスペクトは規定されておらず、実際にデジタルカメラの主画像のアスペクト比は各カメラメーカ、機種、撮影モード毎に異なる。
【０００６】
図１０は主画像と各種サムネイル画像の関係を説明するための図である。図１０（ａ）に示すようなアスペクト比が１６０：１２０ではない主画像のサムネイル画像は、１６０：１２０のアスペクト比となるように（ｂ）（ｃ）のようにパディングを設けたり、（ｄ）のように変形したり、（ｅ）のように切り取ることにより作成している。すなわち、主画像とサムネイル画像のアスペクト比は一致するとは限らないので、サムネイル画像と主画像の置き換えがスムーズに行なえない場合があり、かえって違和感を感じることがしばしば発生する。
【０００７】
図１１は従来の画像表示装置における画像表示例を説明するための図である。図１１（Ａ）のパディングがあるサムネイルをアスペクト比が異なる主画像で置き換える場合と、図１１（Ｂ）の変形したサムネイルをアスペクト比が異なる主画像で置き換える場合とで示されるようにアスペクト比の相違によるサイズの違いが目立ってしまう結果となる。
【０００８】
また、主画像とサムネイル画像のアスペクト比が一致しない場合、主画像とサムネイル画像の中心が一致しているものとして、サムネイル画像が主画像のアスペクト比になるように、サムネイル画像の上下、あるいは左右をクリッピングする方法が提案されている（例えば、特許文献２参照）。しかしながら、サムネイル画像内のどこに有効な画像があるかを指定する情報が存在しないため、主画像とサムネイル画像の中心が一致しているとい
う仮定でクリッピングすることは、多くの画像で不具合をもたらす。
【０００９】
また、特許文献２ではデジタルカメラの機種情報を用いてサムネイル画像内の有効画像のレイアウトを特定することも記述してあるが、単なる機種情報では限界があり、各メーカ、各機種、各撮影モードについて網羅するのは現実的に困難であるし、将来の機種に対しては対応不可能である。
【特許文献１】特開平１０−０７９９１３号公報
【特許文献２】特開２００１−１１１９５１号公報
【発明の開示】
【発明が解決しようとする課題】
【００１０】
このように主画像の表示に先立ちサムネイル画像を表示することは、撮像装置と表示装置の組み合わせが限定された状況であれば、違和感なく表示切替が可能である。しかし、様々なデジタルカメラで撮像した画像を表示するような汎用の表示装置で使用するには、多くの画像でサムネイル画像と主画像の切り替え時に違和感のあるものとなり実用的でなかった。
【００１１】
本発明では、サムネイル画像を用いることなしに、画像認識が早く使用者の不快感を低減可能な画像表示装置を提供することを目的としている。
【課題を解決するための手段】
【００１２】
上記課題を解決するために、本発明の画像表示装置は、圧縮画像データを復元して主画像として表示する際に、仮画像を一旦表示した後、前記主画像を表示する画像表示装置であって、前記圧縮画像データの少なくとも特徴的な部分を復元して前記主画像と同サイズの仮画像の復元画像データを生成すると共に、前記圧縮画像データの全体を復元して前記主画像の復元画像データを生成する復元画像データ生成手段と、前記仮画像及び前記主画像を表示する表示手段とを備えたことを特徴とする。
【発明の効果】
【００１３】
上記の構成により、主画像の表示を行う際に、主画像と同じ圧縮画像データに基づいて何の画像であるかの認識ができる仮画像の復元画像データを作成して仮画像を高速で表示しておき、最終的には本来の主画像を表示するので、画像認識が早く使用者の不快感を低減できる。さらに、画像データの少なくとも特徴的な部分、すなわち画像データの一部を復元して仮画像の復元画像データを生成するので、仮画像の復元画像データも主画像の復元画像データも同じ圧縮画像データを復元して生成することとなり、仮画像のアスペクト比と主画像のアスペクト比とを同じとすることができるので、仮画像を主画像に置き換えた際に違和感を与えにくい。
【発明を実施するための最良の形態】
【００１４】
請求項１の発明の画像表示装置は、圧縮画像データを復元して主画像として表示する際に、仮画像を一旦表示した後、主画像を表示する画像表示装置であって、圧縮画像データの少なくとも特徴的な部分を復元して主画像と同サイズの仮画像の復元画像データを生成すると共に、圧縮画像データの全体を復元して主画像の復元画像データを生成する復元画像データ生成手段と、仮画像及び主画像を表示する表示手段とを備えたことを特徴とする。この構成により、主画像の表示を行う際に、主画像と同じ圧縮画像データに基づいて何の画像であるか認識できる仮画像の復元画像データを作成して仮画像を高速で表示しておき、最終的には本来の主画像を表示するので、画像認識が早く使用者の不快感を低減できる。さらに、画像データの少なくとも特徴的な部分、すなわち画像データの一部を復元して仮画像の復元画像データを生成するので、仮画像の復元画像データも主画像の復元画像データも同じ圧縮画像データを復元して生成することとなり、仮画像のアスペクト比と主
画像のアスペクト比とを同じとすることができるので、仮画像を主画像に置き換えた際に違和感を与えにくい。
【００１５】
請求項２の発明は、請求項１の発明の画像表示装置において、表示手段は、仮画像と主画像とを同一位置に表示することを特徴とする。この構成により、主画像の表示される位置に仮画像をとりあえず表示することができるので、仮画像を主画像に置き換えた際に、より違和感を与えにくい。
【００１６】
請求項３の発明は、請求項１又は請求項２の発明の画像表示装置において、圧縮画像データは、マトリックス状に分割したブロック毎に圧縮されたブロック圧縮データであり、復元画像データ生成手段は、ブロック圧縮データの少なくとも特徴的な部分を復元して算出した画素値を該ブロック内全体にコピーして仮画像の復元画像データを生成することを特徴とする。この構成により、圧縮画像データのブロック毎の少なくとも特徴的な部分を復元して算出した画素値をブロック内全体にコピーして仮画像の復元画像データを生成するため、ブロック内全体の画素値をそれぞれ算出するよりも早く処理ができる。従って、圧縮画像データ全体の復元を早く処理することができるので、何の画像であるか認識できる仮画像の復元画像データを生成して表示する際の処理速度の向上が図れる。
【００１７】
請求項４の発明は、請求項１又は請求項２の発明の画像表示装置において、圧縮画像データは、マトリックス状に分割したブロック毎の画素値の周波数成分が圧縮されたデータであり、復元画像データ生成手段は、特徴的な部分として直流成分を復元して仮画像の表示データを生成することを特徴とする。この構成により、少なくとも特徴的な部分を復元する際に、単なる定数値と直流成分との積の演算で復元が可能となり、高速な演算が可能となるため、何の画像であるか認識できる仮画像の復元画像データを生成して表示する際の処理速度の向上が図れる。
【００１８】
請求項５の発明は、請求項１又は請求項２の発明の画像表示装置において、圧縮画像データは、マトリックス状に分割したブロック毎の画素値の周波数成分が圧縮されたデータであり、復元画像データ生成手段は、特徴的な部分として直流成分を復元して算出した画素値を該ブロック内全体にコピーして仮画像の復元画像データを生成することを特徴とする。この構成により、少なくとも特徴的な部分を復元する際に、単なる定数値と直流成分との積の演算で復元が可能となり、高速な演算が可能となるため、何の画像であるか認識できる仮画像の復元画像データを生成して表示する際の処理速度の向上が図れる。しかも復元して算出した画素値をブロック内全体にコピーして仮画像の復元画像データを生成するため、ブロック内全体の画素値をそれぞれ算出するよりも早く処理ができる。
【００１９】
請求項６の発明は、請求項１から請求項５の発明の画像表示装置において、圧縮画像データは、圧縮画像データは、マトリックス状に分割したブロック毎の特徴的な部分とその他の部分とを備えた復元前データが特徴的な部分とその他の部分との区別なく符号化された符号データであり、復元画像データ生成手段は、符号データを、特徴的な部分とその他の部分とに対応した復元前データに復号化すると共に該復元前データを保持しておき、該保持された復元前データの少なくとも特徴的な部分を復元して仮画像の復元画像データを生成して、さらに、該保持された復元前データの全体を復元して主画像の復元画像データを生成することを特徴とする。この構成により、マトリックス状に分割したブロック毎の特徴的な部分とその他の部分とを区別なく符号化した符号データを復号化して得た復号化値を、仮画像の復元画像データの生成の際も、主画像の復元画像データの生成の際も重複して復号化する必要がなくなるため、主画像の復元画像データの生成のための処理の一部が省略できるので、主画像を表示する際の処理速度の向上が図れる。
【００２０】
請求項７の発明は、請求項１から請求項６の発明の画像表示装置において、圧縮画像デ
ータは、デジタルカメラで生成された圧縮画像データであることを特徴とする。この構成により、デジタルカメラで撮影して得られたような高画素の画像データの画像表示を行う際にも、画像認識が早く使用者の不快感を低減でき、仮画像を主画像に置き換えた際に違和感を与えにくい。
【００２１】
以下、本発明の実施の形態について説明する。
【実施例】
【００２２】
（実施の形態１）
図１は、本発明の画像表示装置の一例を示す機能ブロック図である。図１において、画像表示装置１は、記憶手段１１、操作手段１２、復元画像データ生成手段１３、表示手段１４を備えている。
【００２３】
記憶手段１１には、復元の対象となる圧縮画像データが記憶されている。図３の復元の対象となる画像データを説明するための説明図に示すように、圧縮画像データは、画像１０をマトリクス状のブロックＢ１、Ｂ２、・・・に分割して、そのブロック毎に画素値が圧縮されたものである。画素値は、マトリクス状に分割したブロック毎に、特徴的な部分とその他の部分とからなる周波数成分に変換されてから、量子化され、さらに特徴的な部分とその他の部分とが区別なく符号化された符号データとして圧縮されている。このような圧縮画像データとしては、例えば、ベースラインＪＰＥＧ形式で圧縮された画像データが挙げられる。ベースラインＪＰＥＧ形式は、デジタルカメラなどで撮影された標準形式として普及している画像データの形式である。
【００２４】
操作手段１２は、ユーザが画像表示装置１を操作するための入力を受け付ける。具体的には、表示手段１４に表示された圧縮画像データのファイル名を選択するユーザの入力を受け付けて、選択されたファイル名とその表示が選択された旨とを復元画像データ生成手段１３に通知する。
【００２５】
復元画像データ生成手段１３は、ファイル名とその表示が選択された旨の通知を受けると、そのファイル名に対応する圧縮画像データを記憶手段１１から読み込む。さらに、読み込んだ圧縮画像データの特徴的な部分を復元して仮画像の復元画像データを生成し、生成した仮画像の復元画像データを順次表示手段１４に出力する。具体的には、圧縮画像データの各ブロック内の特徴的な部分を復元して算出した画素値をそのブロック内の全画素にコピーして仮画像の復元画像データを生成する。さらにその圧縮画像データ全体を復元して主画像の復元画像データを生成し、生成した主画像の復元画像データを順次表示手段１４に出力する。圧縮画像データの全体の復元は、厳密に圧縮画像データを全部することに限らず、ユーザが主画像と認識できる程度の主画像を復元することも含む。
【００２６】
表示手段１４は、記憶手段１１に記憶されている圧縮画像データのファイル名を取得して、そのファイル名を表示する。また、復元画像データ生成手段１３から仮画像の復元画像データが入力されると、その仮画像を表示し、復元画像データ生成手段１３から主画像の復元画像データが入力されると、表示していた仮画像を主画像に置き換えて表示する。
【００２７】
図２は、画像表示装置の具体的なハードウエア構成例を示すブロック図である。図２において、画像表示装置は、メモリカード１００、メモリカードＩ／Ｆ１０１、ＣＰＵ１０２、ＲＯＭ１０３、ＲＡＭ１０４、ビデオメモリ１０５、バス１０６、表示部１０７、操作部１０８を備えている。
【００２８】
また、ＲＯＭ１０３には、ＣＰＵ１０２に実行させるアプリケーション用のプログラムとして、操作手段制御用のプログラムと、復元画像データ生成手段用のプログラムと、表
示手段制御用のプログラムとが格納されている。
【００２９】
メモリカード１００と、メモリカードＩ／Ｆ１０１とが、図２における記憶手段１１を構成している。ＣＰＵ１０２と、ＲＯＭ１０３に格納された操作手段制御用のプログラムと、ＲＡＭ１０４と、操作部１０８とが、図２における操作手段１２を構成している。ＣＰＵ１０２と、ＲＯＭ１０３に格納された復元画像データ生成手段制御用のプログラムと、ＲＡＭ１０４とが、図２における復元画像データ生成手段１３を構成している。ＣＰＵ１０２と、ＲＯＭ１０３に格納された表示手段制御用のプログラムと、ビデオメモリ１０５と、表示部１０７とが、図２における表示手段１４を構成している。なお、バス１０６は、適宜に、メモリカードＩ／Ｆ１０１、ＣＰＵ１０２、ＲＯＭ１０３、ＲＡＭ１０４、ビデオメモリ１０５、操作部１０８を通信可能に接続している。
【００３０】
以上の画像表示装置において、ベースラインＪＰＥＧ形式の画像データを表示する場合を例に挙げて、図４から図８を用いて上記画像表示装置の動作について説明する。図４は画像表示装置の動作の一例を示すフローチャートであり、図５は仮画像の復元画像データの生成処理のサブルーチンを示すフローチャートであり、図６は復元の処理の際のデータの形態の変遷を示す図であり、図７は主画像の復元画像データの生成処理のサブルーチンを示すフローチャートであり、図８は復元方法を説明するための説明図である。図８（ａ）はマトリクス状に分割したブロックの画素を示す図であり、図８（ｂ）はその周波数成分を示す図である。なお、図８（ａ）から（ｂ）へはＤＣＴ変換が施されており、図８（ｂ）から（ａ）へは逆ＤＣＴ変換が施されている。
【００３１】
ベースラインＪＰＥＧ形式の画像データは、ビットマップ画像を８×８画素を単位とするマトリックス状のブロックに分割して、分割した複数のブロックを順にＤＣＴ変換して、量子化、ハフマン符号化という演算処理を行なうことで各ブロック毎に圧縮した符号データとされる。さらにベースラインＪＰＥＧ形式の画像データには、復元を行なうために必要な情報である量子化テーブルやハフマンテーブルなどの情報がヘッダ情報として記述されている。
【００３２】
まず、画像表示の動作に先だって、表示手段１４が、記憶手段１１に記憶された画像データのファイル名を取得して、そのファイル名を表示し、操作手段１２において、表示されたファイル名を選択するユーザの入力を受け付ける。ユーザにより、操作手段１２において表示されたファイル名を選択する入力がされると、操作手段１２は、そのファイル名とその表示が選択された旨とを復元画像データ生成手段１３に通知する。
【００３３】
次に、ファイル名とその表示が選択された旨とが通知されると、復元画像データ生成手段１３は、通知されたファイル名に対応する圧縮画像データを記憶手段１１から読み込む（Ｓ１０１）。読み込んだ圧縮画像データのヘッダ情報として記述された量子化テーブルやハフマンテーブルなどの復元を行うために必要な情報を解析する（Ｓ１０２）。さらに、図５に示すような処理手順で、読み込んだ圧縮画像データの任意のブロックについて特徴的な部分を復元することにより仮画像の復元画像データを生成する（Ｓ１０３）。
【００３４】
ここで図４に示すＳ１０３の詳細を図５と図６とに沿って説明する。復元画像データ生成手段１３は、まず、解析したハフマンテーブルに基づいて任意のブロックの圧縮画像データを復号化する（Ｓ１０３１）。Ｓ１０３１は、図６における（ａ）の符号データから（ｂ）の量子化データ（第１復元前データ）に復号化する処理（第１復元前処理）である。ここで復号化される前の符号データは、ハフマン符号化によって符号化されているので、マトリックス状に分割したブロック毎の特徴的な部分とその他の部分とを備えた量子化データが特徴的な部分とその他の部分との区別なく符号化されている。この符号データをハフマンテーブルに基づいて復号化すると、マトリックス状に分割したブロック毎の特徴
的な部分とその他の部分とを備えた量子化データに変換できる。
【００３５】
具体的には、任意のブロックに相当する符号データである圧縮画像データをハフマンテーブルに基づいて復号化して量子化データに変換する。このとき、ブロック内の１次元の画像データを順次復号して得られた量子化データは、図８（ｂ）で示すような８×８の２次元ＤＣＴ係数テーブルにおいてｕ＝ｖ＝０に位置する直流成分の位置から矢符の方向へと順次ジグザグに量子化データが復号されることになる。算出された量子化データは、量子化された直流成分と、量子化された交流成分とを備えている。この量子化された直流成分が特徴的な部分に相当し、量子化された交流部分がその他の部分に相当する。
【００３６】
次いで、復元画像データ生成手段１３は、量子化データのうち、量子化された直流成分を量子化テーブルに基づいて逆量子化する（Ｓ１０３２）。Ｓ１０３２は、図６における（ｂ）の量子化データから（ｃ）の周波数成分（第２復元前データ）に復元する処理（第２復元前処理）である。具体的には、逆量子化は、量子化された直流成分に、解析した量子化テーブルの値のうちの逆量子化しようとする成分に対応する位置（ｕ＝ｖ＝０に対応する位置）の値を乗算することで周波数の直流成分を算出する。
【００３７】
この直流成分というのは、周波数の最も低周波成分のことでありブロック内で最も特徴的な成分である。これは、一般にデジタルカメラなどで扱う自然画像では近接した画素値はあまり変わらずに滑らかな変化である場合が多いため、高周波成分は画像により変化があまりなく、低周波成分であるほど画像による変化が現れるので、低周波の成分が最も特徴をよく表している成分となる。
【００３８】
次に、復元画像データ生成手段１３は、得られた直流成分に対して逆ＤＣＴ変換を行う（Ｓ１０３３）。Ｓ１０３３は、図６における（ｃ）の周波数成分から（ｄ）画素値のデータに復元する処理（復元処理）である。具体的には、（数１）においてｕ＝ｖ＝０として、Ｓｖｕに直流成分を代入してＳｙｘを算出する。この演算は、単なる定数値と直流成分との積となるので高速な演算が可能である。
【００３９】
【数１】
2006345024.tif 000003
【００４０】
次いで復元画像データ生成手段１３は、算出した値を８×８ブロック内の全画素にコピーする（Ｓ１０３４）ことによって、任意のブロックの仮画像の復元画像データを生成する。仮画像の復元画像データは、ブロック内の全画素が同じ画素値になるだけで画素数は主画像と変わらないので、主画像と同一サイズとなる。このとき、全画素のデータを生成するのに８×８ブロック内の全画素について単にコピーするだけなので、演算処理は発生せず、高速に処理できる。
【００４１】
図４に戻って、復元画像データ生成手段１３は、生成した任意のブロックについての仮
画像の復元画像データを表示手段１４に出力する（Ｓ１０４）。仮画像の復元画像データが入力されると、表示手段１４は、入力された復元画像データに対応する仮画像を表示する。
【００４２】
また、復元画像データ生成手段１３は、仮画像の復元画像データを出力すると、復元しようとする圧縮画像データの全ブロックについて仮画像の復元画像データの生成が終了したか否かを判定する（Ｓ１０５）。全てのブロックについて仮画像の復元画像データの生成が終了したと判定できなかった場合は、復元されていないブロックについて、再び、仮画像の復元画像データを生成するＳ１０３に戻る。
【００４３】
全てのブロックについて仮画像の復元画像データの生成が終了したと判定した場合は、復元画像データ生成手段１３は、図７に示す処理手順でＳ１０１において読み込んだ圧縮画像データの任意のブロックについて圧縮画像データの全体を復元することにより主画像の復元画像データを生成する（Ｓ１０６）。
【００４４】
ここで図４に示すＳ１０６の処理手順の詳細を図６と図７とに沿って説明する。復元画像データ生成手段１３は、再度、Ｓ１０３１と同様に解析したハフマンテーブルに基づいて任意のブロックの圧縮画像データを復号化して（Ｓ１０６１）、量子化データを算出する。Ｓ１０６１は、図６における（ａ）の符号データから（ｂ）の量子化データ（第１復元前データ）に復号化する処理（第１復元前処理）である。
【００４５】
復元画像データ生成手段１３は、復号化して算出した量子化データのうち、量子化された直流成分と量子化された交流成分との両方、すなわち量子化データの全体を、解析した量子化テーブルに基づいて逆量子化して、周波数の直流成分と交流成分とを算出する（Ｓ１０６２）。Ｓ１０６２は、図６における（ｂ）の量子化データから（ｃ）の周波数成分（第２復元前データ）に復元する処理（第２復元前処理）である。さらに、算出した周波数の直流成分と交流成分とを逆ＤＣＴ変換式である（数１）に代入して逆ＤＣＴ変換することによって各画素の画素値を算出して（Ｓ１０６３）、任意のブロックの主画像の復元画像データを生成する。Ｓ１０６３は、図６における（ｃ）の周波数成分から（ｂ）の画素値に復元する処理（復元処理）である。具体的には、図８（ａ）に示す各画素位置の画素値は、それぞれの画素位置を（数１）のｘ、ｙに代入して変形し、変形した（数１）のＳｖｕに図８（ｂ）の周波数成分を代入し、その周波数成分の位置をｖ、ｕに代入して算出することにより求める。
【００４６】
さらに図４に戻って、復元画像データ生成手段１３は、生成した主画像の復元画像データを表示手段１４に出力する（Ｓ１０７）。主画像の復元画像データが入力されると、表示手段１４は、表示していた仮画像を、入力された復元画像データに対応する主画像で置き換えて同じ位置に表示する。
【００４７】
また、復元画像データ生成手段１３は、主画像の復元画像データを出力すると、復元しようとする圧縮画像データの全ブロックについて主画像の復元画像データの生成が終了したか否かを判定する（Ｓ１０８）。全てのブロックについて主画像の復元画像データの生成が終了したと判定できなかった場合は、復元されていないブロックについて、再び、主画像の復元画像データを生成するＳ１０６に戻る。
【００４８】
上記実施の形態においては、Ｓ１０３１とＳ１０６１とのそれぞれにおいてハフマン復号化を行って量子化データを算出しているが、量子化データを算出する処理を１つにまとめることができる。すなわち、圧縮画像データは、マトリックス状に分割したブロック毎の特徴的な部分とその他の部分とを備えた復元前データが特徴的な部分とその他の部分との区別なく符号化された符号データを含んでいるため、Ｓ１０３１においてハフマン復号
化して、特徴的な部分とその他の部分との両方に対応した復元前データである量子化データを算出してメモリ等に保持しておくことにより、保持された量子化データを用いてＳ１０３２の処理もＳ１０６２の処理も行うことができるので、ハフマン復号化は１度の処理で済むので主画像の表示処理の高速化が図れる。
【００４９】
上記実施の形態では、第１復元前処理、第２復元前処理、復元処理の３段階の処理により復元を行う形態を例に挙げて説明しているので、量子化データが復元前データに相当する。しかし、復元前処理を１つのステップで行い、図６（ａ）の符号データから図６（ｃ）の周波数成分が算出される場合、周波数成分が復元前データに相当する。この場合、周波数成分は、直流成分（特徴的な部分）と交流成分（その他の部分）とを備えているので、特徴的な部分として周波数の直流成分を復元すれば仮画像の復元画像データが生成できる。
【００５０】
また、上記実施の形態では、特徴的な部分のみを復元することにより仮画像の復元画像データを生成しているが、少なくとも特徴的な部分を復元して仮画像の復元画像データを生成すればよく、それ以外の部分を復元した場合も含む。
【００５１】
また、上記実施の形態では、主画像と同サイズの仮画像の復元画像データを生成するのに、算出した画素値をコピーすることによっていたが、これに限らず、算出した画素値から主画像と同サイズの仮画像の復元画像データを生成できる方法であれば特に限定されない。
【００５２】
さらに、上記の画像表示装置における表示状態の遷移について説明する。図９は、画像表示装置１における表示状態の遷移を示す説明図である。図９（ａ）は、全ブロックの仮画像が表示された状態を示す図であり、図９（ｂ）は、ほぼ半分のブロックの主画像が表示された状態を示す図であり、図９（ｃ）は、全ブロックの主画像が表示された状態を示す図である。
【００５３】
まず、図９（ａ）に示すように、最初に表示される仮画像は、各ブロックの画素値を、そのブロック内の特徴的な部分を復元して算出した１つの画素値とした画像となる。従って、例えば、ベースラインＪＰＥＧ形式の画像データで、直流成分のみを復元して生成した場合、６４分の１の解像度である荒い画像が表示される。仮画像は、本来の画像の解像度の６４分の１の荒い画像であるが、最も画像の特徴を現している直流成分に基づいた画像であるため、何の画像であるかを認識するのには十分である。さらに、処理は演算量を削減しつつ処理も簡単化されているので、高速に画像を表示できる。
【００５４】
さらに、図９（ｂ）に示すように、画像上端の部分より横方向に続くブロック毎に、最初に表示された仮画像を主画像で順次置き換えて表示する。このとき、仮画像も主画像も同一の圧縮画像データを復元して生成した復元画像データに基づいて表示される。従って、仮画像の方が主画像よりも解像度が荒いものの、両方とも同じアスペクト比とすることができるので、置き換えの際に違和感を低減できる。
【００５５】
最終的には、図９（ｃ）に示すように、主画像が表示される。主画像が表示されるまでは、全ての復元に要する時間がかかるが、本発明では、図９（ａ）に示すように前もって高速に仮画像を表示し、この仮画像は画像の概要を認識することができるものなので、使用者に不快感を与えにくい。さらに、仮画像と主画像とを同じ位置に表示することにより、主画像の表示される位置に仮画像をとりあえず表示することができるので、仮画像を主画像に置き換えた際に、より違和感を与えにくい。
【００５６】
近年の高画素化したデジタルカメラの画像では圧縮された画像データを表示する際の伸
張（デコード）の時間が長くなってきており、表示が遅く使用者に不快感を与えるようになってきた。この最大の原因は三角関数や繰り返し演算を含んだ逆ＤＣＴ変換式（数１）の複雑さに起因している。本実施の形態では、最も特徴的な成分である画像の直流成分のみを用いて生成した仮画像を表示する。１ブロックあたり、直流成分１個だけなので６３個の交流成分の演算を省略できる。そしてその後、直流成分と交流成分の両方を用いて主画像を生成して、先に表示された仮画像を主画像で置き換えて表示する。どちらも同じ画像データを用いており、復元する際に用いる成分が違うだけなので、従来のサムネイル画像を用いたときのようなアスペクト比の違いに起因する問題が発生しにくくなり、高速の低解像度画像から高解像度画像への表示の置き換えをほとんど違和感なく行なうことが可能である。
【００５７】
以上の実施の形態では、ベースラインＪＰＥＧ形式のような圧縮画像データがマトリクス状に分割したブロック毎に圧縮されたデータ（ブロック圧縮データ）である場合を例に挙げて説明したが、圧縮画像データの特徴的な部分を復元して得られる仮画像が何の画像であるか認識ができるような圧縮画像データの圧縮の方法であれば、これに限定されない。
【００５８】
また、以上の実施の形態では、特徴的な部分として直流成分を復元して仮画像の復元画像データを生成する場合を例に挙げて説明したが、圧縮画像データの特徴的な部分を復元して得られる仮画像が何の画像であるか認識ができるような圧縮画像データの圧縮の方法であれば、これに限定されない。
【００５９】
以上の構成により、何の画像であるか認識できる仮画像を高速で表示しておき、最終的には本来の主画像を表示するので、画像認識が早く使用者の不快感を低減できる。さらに、仮画像と主画像のアスペクト比を同じにすることができるので置き換えの際の違和感もほとんどない。それゆえ、撮像装置と表示装置の組み合わせに限定されずに、ほとんど違和感なく仮画像から主画像への置き換え表示が可能で、画像の認識が高速で使用者の不快感を低減可能な画像表示装置を実現することができる。
【産業上の利用可能性】
【００６０】
以上のように、本発明にかかる画像表示装置は、デジタルカメラで撮影した画像を表示することに有用であり、特に、高画素数の画像を表示することに適している。
【図面の簡単な説明】
【００６１】
【図１】本発明の画像表示装置の一例を示す機能ブロック図
【図２】画像表示装置の具体的なハードウエア構成例を示すブロック図
【図３】復元の対象となる画像データを説明するための説明図
【図４】画像表示装置の動作の一例を示すフローチャート
【図５】仮画像の復元画像データの生成処理のサブルーチンを示すフローチャート
【図６】復元の処理の際のデータの形態の変遷を示す図
【図７】主画像の復元画像データの生成処理のサブルーチンを示すフローチャート
【図８】復元方法を説明するための説明図
【図９】画像表示装置における表示状態の遷移を示す説明図
【図１０】主画像と各種サムネイル画像の関係を説明するための図
【図１１】従来の画像表示装置における画像表示例を説明するための図
【符号の説明】
【００６２】
１    画像表示装置
１０    画像
１１    記憶手段
１２    操作手段
１３    復元画像データ生成手段
１４    表示手段
１００    メモリカード
１０１    メモリカードＩ／Ｆ
１０２    ＣＰＵ
１０３    ＲＯＭ
１０４    ＲＡＭ
１０５    ビデオメモリ
１０６    バス
１０７    表示部
１０８    操作部
【図１】
2006345024.tif 000004
【図２】
2006345024.tif 000005
【図３】
2006345024.tif 000006
【図４】
2006345024.tif 000007
【図５】
2006345024.tif 000008
【図６】
2006345024.tif 000009
【図７】
2006345024.tif 000010
【図８】
2006345024.tif 000011
【図９】
2006345024.tif 000012
【図１０】
2006345024.tif 000013
【図１１】
2006345024.tif 000014